(57)【要約】      （修正有）【課題】経済性の面で優れるタンク充填式除菌液収納体と、取扱い操作が簡略なパウチ式除菌液収納体とを随時交換して使用できる便座除菌クリーニングディスペンサーを提供する。【解決手段】容器基体３と、この容器基体３に対して開閉自在に構成した蓋体１１とを有する収納容器と、収納容器内に固定配置され、蓋体１１の正面下部中央に設けた操作片１２の操作に連動して便座除菌用の除菌液を収納容器の下方に吐出するスプレー機構部２１と、収納容器内に着脱可能に配置されるとともに、除菌液を収納し前記スプレー機構部２１の受液部２２に除菌液を供給する除菌液収納体と、を有する。除菌液収納体として、除菌液を補充するタンク充填式除菌液収納体と、除菌液を使い捨てするパウチ式除菌液収納体とのいずれかを選択して使用する。【選択図】図４
0003169675.tif 000002
【実用新案登録請求の範囲】
【請求項１】
壁面等に取り付ける容器基体と、この容器基体に対して開閉自在に構成した蓋体とを有する収納容器と、
前記収納容器内に固定配置され、前記蓋体の正面下部中央に設けた操作片の操作に連動して便座除菌用の除菌液を収納容器の下方に吐出するスプレー機構部と、
前記収納容器内に着脱可能に配置されるとともに、除菌液を収納し前記スプレー機構部の受液部に除菌液を供給する除菌液収納体と、
を有する便座除菌クリーニングディスペンサーであって、
前記除菌液収納体として、
除菌液を補充するタンク充填式除菌液収納体を前記スプレー機構部に装着し、又は除菌液を使い捨てするパウチ式除菌液収納体を前記スプレー機構部に装着して、いずれかを選択して使用する構成としたことを特徴とする便座除菌クリーニングディスペンサー。
【請求項２】
壁面等に取り付ける四角形皿状の容器基体と、この容器基体に対して開閉自在に構成した容器基体側が開口している直方体形状の蓋体とを有する収納容器と、
前記収納容器内に固定配置され、前記蓋体の正面下部中央に設けた操作片の操作に連動して便座除菌用の除菌液を収納容器の下方に吐出するスプレー機構部と、
前記収納容器内に着脱可能に配置されるとともに、除菌液を収納し前記スプレー機構部の受液部に着脱可能に液供給部を装着して除菌液をスプレー機構部内に供給する除菌液収納体と、
を有する便座除菌クリーニングディスペンサーであって、
前記除菌液収納体として、
前記容器基体により位置決めされるとともに、前記スプレー機構部の受液部に着脱可能に液供給部を装着して除菌液を供給する略直方体形状のタンク充填式除菌液収納体と、前記容器基体の上部から蓋体の内方に向けて突設した係止片により吊り下げられるとともに、前記スプレー機構部の受液部に着脱可能に液供給部を装着して除菌液を供給するパウチ形態で除菌液を使い捨てするパウチ式除菌液収納体とのいずれかを選択して使用する構成としたことを特徴とする便座除菌クリーニングディスペンサー。
【請求項３】
壁面等に取り付ける四角形皿状の容器基体と、この容器基体に対して開閉自在に構成した容器基体側が開口している直方体形状の蓋体とを有する収納容器と、
前記収納容器内に固定配置され、前記蓋体の正面下部中央に設けた操作片の操作に連動して便座除菌用の除菌液を収納容器の下方に吐出するスプレー機構部と、
前記収納容器内に着脱可能に配置されるとともに、除菌液を収納し前記スプレー機構部の受液部に着脱可能に液供給部を装着して除菌液をスプレー機構部内に供給する除菌液収納体と、
を有する便座除菌クリーニングディスペンサーであって、
前記蓋体の底辺部分に除菌液の吐出流路を形成する除菌液吐出筒部を突設するとともに、前記蓋体の側辺部に除菌液視認用の視認窓を設け、
前記除菌液収納体として、
前記容器基体により位置決めされるとともに、前記スプレー機構部の受液部に着脱可能に液供給部を装着して除菌液を供給する略直方体形状のタンク充填式除菌液収納体と、前記容器基体の上部から蓋体の内方に向けて突設した係止片により吊り下げられるとともに、前記スプレー機構部の受液部に着脱可能に液供給部を装着して除菌液を供給するパウチ形態で除菌液を使い捨てするパウチ式除菌液収納体とのいずれかを選択して使用する構成としたことを特徴とする便座除菌クリーニングディスペンサー。
【考案の詳細な説明】
【技術分野】
【０００１】
本考案は、新規な便座除菌クリーニングディスペンサーに関し、詳しくは、洋式トイレの便座を除菌クリーニングするための除菌液を吐出するとともに、タンク充填式除菌液収納体のタイプといわゆるパウチ式除菌液収納体のタイプとの各便座除菌クリーニングディスペンサーに兼用できるようにした新規、斬新な便座除菌クリーニングディスペンサーに関するものである。
【背景技術】
【０００２】
最近、洋式トイレの普及は目覚ましいものがある。ところが、この洋式トイレは、便座に腰掛けて使用するものであるため、多くの者がその使用時には相当の不快感を抱くものである。特に、当該不快感は不特定多数の人が使用する洋式トイレの場合には、一層顕著である。
【０００３】
近年では、便座の除菌クリーニングに供することができる便座除菌クリーニングディスペンサーが提案されている。
【０００４】
この種の便座除菌クリーニングディスペンサーは、壁面に取り付ける容器本体内に除菌液を収納するタンクを配置し、タンクの下部に吐出口を有するスプレー機構部を水平配置に設け、スプレー機構部を容器本体の外部から押圧操作して吐出口から下方に向けて除菌液を吐出し、トイレ用ペーパーに除菌液を染み込ませ、その除菌液が染み込んだペーパーにより便座の除菌クリーニングを行うものである。
【０００５】
ところで、従来における便座除菌クリーニングディスペンサーは、タンク充填式除菌液収納体（特許文献１）を用いるものと、いわゆるパウチ式除菌液収納体を用いるものとに大別される。
【０００６】
タンク充填式除菌液収納体を用いる便座除菌クリーニングディスペンサーは、タンク内の除菌液が少量となった際に、作業者（管理者）が除菌液をその都度補充することが必要であり、便座除菌クリーニングディスペンサーの維持、管理の面で経済性には優れるもののその取扱いがが煩雑になってしまうという問題を包含している。
【０００７】
一方、パウチ式除菌液収納体を用いる便座除菌クリーニングディスペンサーは、パウチ形態の除菌液収納体内の除菌液が少量となった際に、当該パウチ式除菌液収納体自体を新たなものと交換するタイプ、すなわち、使い捨てるようにするものである。
【０００８】
この場合には、作業者（管理者）の便座除菌クリーニングディスペンサーの維持、管理は簡略容易であるものの、パウチ式除菌液収納体内に除菌液が残存している場合でも、そのままパウチ式除菌液収納体とともに廃棄することが必要となり、不経済であるという問題を包含している。
【０００９】
これは、パウチ式除菌液収納体内に残存する除菌液を最後まで使用してから捨てようとすると、残り少ない除菌液がスプレー機構部から必要分も吐出しなくなり、実際の利用者による便座の除菌クリーニングに支障を来しクレームの要因となってしまうことによる。
【先行技術文献】
【特許文献】
【００１０】
【特許文献１】登録実用新案第３１４９１１５号公報
【考案の概要】
【考案が解決しようとする課題】
【００１１】
本考案が解決しようとする問題点は、経済性の面で優れるタンク充填式除菌液収納体のタイプと、取扱い操作が簡略なパウチ式除菌液収納体のタイプとに兼用でき、タンク充填式除菌液収納体とパウチ式除菌液収納体とを随時交換して使用でき、作業者（管理者）側の利便性を高め、かつ、実際の使用者へ不便を与えることもない便座除菌クリーニングディスペンサーが存在しない点である。
【課題を解決するための手段】
【００１２】
本考案の便座除菌クリーニングディスペンサーは、壁面等に取り付ける容器基体と、この容器基体に対して開閉自在に構成した蓋体とを有する収納容器と、前記収納容器内に固定配置され、前記蓋体の正面下部中央に設けた操作片の操作に連動して便座除菌用の除菌液を収納容器の下方に吐出するスプレー機構部と、前記収納容器内に着脱可能に配置されるとともに、除菌液を収納し前記スプレー機構部の受液部に除菌液を供給する除菌液収納体と、を有する便座除菌クリーニングディスペンサーであって、前記除菌液収納体として、除菌液を補充するタンク充填式除菌液収納体を前記スプレー機構部に装着し、又は除菌液を使い捨てするパウチ式除菌液収納体を前記スプレー機構部に装着して、いずれかを選択して使用する構成としたことを最も主要な特徴とする。
【考案の効果】
【００１３】
請求項１記載の考案によれば、経済性の面で優れるタンク充填式除菌液収納体と、取扱い操作が簡略なパウチ式除菌液収納体とを随時交換して使用でき、作業者の利便性を高め、かつ、実際の使用者へ不便を与えることもない新規な便座除菌クリーニングディスペンサーを実現し提供することができる。
【００１４】
請求項２記載の考案によれば、壁面等に取り付ける四角形皿状の容器基体と、この容器基体に対して開閉自在に構成した容器基体側が開口している直方体形状の蓋体とを有する収納容器と、前記収納容器内に固定配置され、前記蓋体の正面下部中央に設けた操作片の操作に連動して便座除菌用の除菌液を収納容器の下方に吐出するスプレー機構部と、前記収納容器内に着脱可能に配置されるとともに、除菌液を収納し前記スプレー機構部の受液部に着脱可能に液供給部を装着して除菌液をスプレー機構部内に供給する除菌液収納体と、を有し、前記除菌液収納体として、前記容器基体により位置決めされるとともに、前記スプレー機構部の受液部に着脱可能に液供給部を装着して除菌液を供給する略直方体形状のタンク充填式除菌液収納体と、前記容器基体の上部から蓋体の内方に向けて突設した係止片により吊り下げられるとともに、前記スプレー機構部の受液部に着脱可能に液供給部を装着して除菌液を供給するパウチ形態で除菌液を使い捨てするパウチ式除菌液収納体とのいずれかを選択して使用する構成としているので、経済性の面で優れる略直方体形状のタンク充填式除菌液収納体と、取扱い操作が簡略なパウチ形態で除菌液を使い捨てするパウチ式除菌液収納体とを随時交換して使用でき、作業者の利便性を高め、かつ、実際の使用者へ不便を与えることもない新規な便座除菌クリーニングディスペンサーを実現し提供することができる。
【００１５】
請求項３記載の考案によれば、請求項２記載の考案と同様な効果を奏し、かつ、蓋体の底辺部に除菌液の吐出流路を形成する除菌液吐出筒部を突設するとともに、蓋体の側辺部に除菌液視認用の視認窓を設けた構成を付加しているので、実際の使用者がより利用し易く、また、維持管理の面でも作業者の利便性をわり高めることができる新規な便座除菌クリーニングディスペンサーを実現し提供することができる。
【図面の簡単な説明】
【００１６】
【図１】図１は本考案の実施例に係る便座除菌クリーニングディスペンサーの外観斜視図である。
【図２】図２は本実施例に係る便座除菌クリーニングディスペンサーの容器基体の斜視図である。
【図３】図３は本実施例に係る便座除菌クリーニングディスペンサーの蓋体の斜視図である。
【図４】図４は本実施例に係る便座除菌クリーニングディスペンサーの容器基体及びスプレー機構部の概略平面図である。
【図５】図５は本実施例に係る便座除菌クリーニングディスペンサーの容器基体及びスプレー機構部の概略断面図である。
【図６】図６は本実施例に係る便座除菌クリーニングディスペンサーの容器基体にタンク充填式除菌液収納体を取り付けた状態の概略平面図である。
【図７】図７は本実施例に係る便座除菌クリーニングディスペンサーの容器基体にタンク充填式除菌液収納体を取り付けた状態の概略正面図である。
【図８】図８は本実施例に係る便座除菌クリーニングディスペンサーの容器基体にパウチ式除菌液収納体を取り付けた状態の概略平面図である。
【図９】図９は本実施例に係る便座除菌クリーニングディスペンサーの容器基体にパウチ式除菌液収納体を取り付けた状態の概略正面図である。
【図１０】図１０は本考案の実施例に係る便座除菌クリーニングディスペンサーの変形例の正面図である。
【考案を実施するための形態】
【００１７】
本考案は、経済性の面で優れるタンク充填式除菌液収納体と、取扱い操作が簡略なパウチ式除菌液収納体とを随時交換して使用でき、作業者（管理者）側の利便性を高め、かつ、実際の使用者へ不便を与えることもない便座除菌クリーニングディスペンサーを提供するという目的を、壁面等に取り付ける四角形皿状の容器基体と、この容器基体に対して開閉自在に構成した容器基体側が開口している直方体形状の蓋体とを有する収納容器と、前記収納容器内に固定配置され、前記蓋体の正面下部中央に設けた操作片の操作に連動して便座除菌用の除菌液を収納容器の下方に吐出するスプレー機構部と、前記収納容器内に着脱可能に配置されるとともに、除菌液を収納し前記スプレー機構部の受液部に着脱可能に液供給部を装着して除菌液をスプレー機構部内に供給する除菌液収納体と、を有する便座除菌クリーニングディスペンサーであって、前記除菌液収納体として、前記容器基体により位置決めされるとともに、前記スプレー機構部の受液部に着脱可能に液供給部を装着して除菌液を供給する略直方体形状のタンク充填式除菌液収納体と、前記容器基体の上部から蓋体の内方に向けて突設した係止片により吊り下げられるとともに、前記スプレー機構部の受液部に着脱可能に液供給部を装着して除菌液を供給するパウチ形態で除菌液を使い捨てするパウチ式除菌液収納体とのいずれかを選択して使用する構成により実現した。
【実施例】
【００１８】
以下、本考案の実施例に係る新規な便座除菌クリーニングディスペンサーについて詳細に説明する。
【００１９】
本実施例に係る便座除菌クリーニングディスペンサー１は、図１乃至図５に示すように、例えば洋式トイレ室の壁面等に取り付ける四角形皿状の容器基体３と、この容器基体３に対して開閉自在に構成した容器基体３側が開口している直方体形状の蓋体１１とを有する収納容器２と、前記収納容器２内で、前記容器基体３に対し一端側を固定配置され、他端側を水平方向に突設し、前記蓋体１１の正面下部中央に設けた操作片１２の押圧操作に連動して便座除菌用の除菌液を収納容器２の下方に吐出するスプレー機構部２１と、前記収納容器２内に着脱可能に配置されるとともに、除菌液を収納し前記スプレー機構部２１の垂直上方に向けた受液部２２に対して、下面側に設けた液供給部３２又は液供給部４２を着脱可能に装着して除菌液をスプレー機構部２１内に供給するタンク充填式除菌液収納体３１又はパウチ式除菌液収納体４１とを有している。
【００２０】
すなわち、本実施例に係る便座除菌クリーニングディスペンサー１は、略直方体形状のタンク充填式除菌液収納体３１又はパウチ形態で除菌液を使い捨てするパウチ式除菌液収納体４１のいずれか一方を選択して使用する構成を採用している。
【００２１】
前記容器基体３の上辺中央部には、蓋体１１の上辺内側を掛止める掛止部４を設け、また、前記容器基体３の左右両側辺下部には一対の軸支ピン５を設け、前記蓋体１１の左右両側辺下部の内側を一対の軸支ピン５により回動可能に支持して、図１に示すように、蓋体１１を開閉し、容器基体３全体を覆ったり、その前方を開放したりし得るように構成している。
【００２２】
また、前記容器基体３の上辺の近くには、左右一対配置に前記パウチ式除菌液収納体４１を吊り下げるための係止片６を突設している。
【００２３】
そして、この一対配置の係止片６に対して、前記パウチ式除菌液収納体４１の上辺に設けた一対の抜穴４３部分を嵌め入れることで、前記パウチ式除菌液収納体４１を前記容器基体３により吊り下げる構成としている。
【００２４】
前記容器基体３の両側辺には、左右一対配置に前記タンク充填式除菌液収納体３１の左右外周部を嵌めて位置決めするための位置決め片７を設けている。更に、前記容器基体３の下辺中央側の内面位置には、前記スプレー機構部２１を取り付けるための受片８を設けている。
【００２５】
前記蓋体１１の正面中央部の下部位置から底辺中央部にわたって、Ｌ状に開口部１１ａが形成され、正面中央部の下部位置に前記操作片１２を配置して前記スプレー機構部２１に当接させるとともに、底辺中央部に設けた開口部分は前記スプレー機構部２１から下方に吐出される除菌液の通過領域としている。
【００２６】
また、前記蓋体１１の両側辺には、図１、図３に示すように、内部のタンク充填式除菌液収納体３１又はパウチ式除菌液収納体４１における除菌液の液量を外部から確認するための長穴形状の視認窓１３を設けている。
【００２７】
更に、前記蓋体１１の正面の下部位置及び操作片１２の表面には、左側から右側に順にペーパー図、指操作案内図、便座拭き案内図を付している。
【００２８】
前記スプレー機構部２１は、前記容器基体３に取り付けるとともに垂直上方に向けた受液部２２を連結した基筒部２３と、この基筒部２３の突出端に嵌合した保持筒部２４と、一端を保持筒部２４の突出端側からその内方に嵌装し、他端を前記操作片１２に当接させた変位体２５と、前記基筒部２３、保持筒部２４の内部に図示しないが例えば多孔質部材を配置している。
【００２９】
そして、前記タンク充填式除菌液収納体３１又はパウチ式除菌液収納体４１から受液部２２を経て供給される除菌液を多孔質部材に浸み込ませ、前記操作片１２の押圧操作により変位体２５を変位させ、多孔質部材に浸み込ませた除菌液を図５に示すように変位体２５に設けた吐出孔２５ａから前記容器基体３の下方に吐出させるように構成している。
【００３０】
なお、前記スプレー機構部２１の構成は、種々の態様が考えられ、上述した例に限定されるものではない。
【００３１】
本実施例に係る便座除菌クリーニングディスペンサー１においては、前記タンク充填式除菌液収納体３１のタイプと前記パウチ式除菌液収納体４１のタイプの各便座除菌クリーニングディスペンサーに兼用でき、図６、図７に示すように、前記タンク充填式除菌液収納体３１を前記収納容器２内に配置したり、又はタンク充填式除菌液収納体３１に替えて、図８、図９に示すように、前記パウチ式除菌液収納体４１を前記収納容器２内に配置したりという使い分けを随時実行でき、経済性の面で優れるタンク充填式除菌液収納体３１と、取扱い操作が簡略なパウチ式除菌液収納体４１とを適宜選択することで、作業者（管理者）側の利便性を高め、かつ、除菌液が出ない等の不都合を無くし実際の使用者へ不便を与えることもない便座除菌クリーニングディスペンサー１を実現することができる。
【００３２】
図１０は、本実施例に係る便座除菌クリーニングディスペンサー１の変形例である便座除菌クリーニングディスペンサー１Ａを示すものであり、基本的構成は前記便座除菌クリーニングディスペンサー１と同様であるが、前記蓋体１１の正面中央部における下側の底辺中央部分に設けた開口部１１ａの箇所に、除菌液吐出筒部１４を設けたことが特徴である。
【００３３】
変形例の便座除菌クリーニングディスペンサー１Ａによれば、記述した実施例に係る便座除菌クリーニングディスペンサー１の場合と同様な作用効果を発揮するとともに、前記除菌液吐出筒部１４を設けたことにより、除菌液の吐出部分が分かり易くなり、実際における使用者の利用の便宜をより向上させることができる。
【産業上の利用可能性】
【００３４】
本考案は、上述した場合のみならず、洗面所等における手洗い用洗浄液や、医療機関等における手洗い用洗浄液等に使用されるクリーニングディスペンサーとして広範に応用可能である。
【符号の説明】
【００３５】
１    便座除菌クリーニングディスペンサー
１Ａ  便座除菌クリーニングディスペンサー
２    収納容器
３    容器基体
４    掛止部
５    軸支ピン
６    係止片
７    位置決め片
８    受片
１１    蓋体
１１ａ  開口部
１２    操作片
１３    視認窓
１４    除菌液吐出筒部
２１    スプレー機構部
２２    受液部
２３    基筒部
２４    保持筒部
２５    変位体
２５ａ  吐出孔
３１    タンク充填式除菌液収納体
３２    液供給部
４１    パウチ式除菌液収納体
４２    液供給部
４３    抜穴
【図１】
0003169675.tif 000003
【図２】
0003169675.tif 000004
【図３】
0003169675.tif 000005
【図４】
0003169675.tif 000006
【図５】
0003169675.tif 000007
【図６】
0003169675.tif 000008
【図７】
0003169675.tif 000009
【図８】
0003169675.tif 000010
【図９】
0003169675.tif 000011
【図１０】
0003169675.tif 000012